(57)【要約】【課題】嵩張らないようにして携帯に便利なライト付きブックカバーを提供する。【解決手段】書物１の背表紙７を覆う背部８と、この背部８の左右両側にそれぞれ連設されて書物１の表裏の表紙１１・１１を覆う左右一対の表装部９・９とを有する。前記背部８には、可撓性を有するフレキシブル支持体４の基端４ａを取り付ける。フレキシブル支持体４の先端には、書物１を照明するためのライト３を取り付ける。左右の表装部９・９には、ライト３の電源用として可撓性を有するシート状の二次電池５がそれぞれ内蔵されている。【選択図】図１
2005053040.tif 000002
【特許請求の範囲】
【請求項１】
書物の背表紙を覆う背部と、前記背部の左右両側にそれぞれ連設されて前記書物の表裏の表紙を覆う左右一対の表装部とを有しており、
前記背部に、可撓性を有するフレキシブル支持体の基端が取り付けられ、前記フレキシブル支持体の先端にライトが取り付けられており、
左右の前記表装部の少なくとも一方に、前記ライトの電源用として可撓性を有するシート状の電池が内蔵されていることを特徴とするライト付きブックカバー。
【請求項２】
前記表装部が、内外二層構造になっており、
前記二層の間に前記電池が挟み込まれている請求項１記載のライト付きブックカバー。
【請求項３】
前記電池が二次電池であり、
前記背部の裏側に、前記電池用の制御回路を収容したハウジングが配置されており、
前記ハウジングに、前記フレキシブル支持体の基端が取り付けられるとともに、前記電池の充電用端子が設けられている請求項１又は２記載のライト付きブックカバー。
【請求項４】
前記電池の電解質がゲル状ポリマー電解質で形成されており、
前記電池の外装材が、柔軟性を有するラミネートフィルムで形成されている請求項３記載のライト付きブックカバー。
【請求項５】
前記ハウジングに、前記ライトをオン、オフするためのスイッチが設けられている請求項３又は４記載のライト付きブックカバー。
【発明の詳細な説明】
【技術分野】
【０００１】
本発明は、照明用のライトを備えたブックカバーに関する。
【背景技術】
【０００２】
特許文献１には、書物を挟んで開いた状態に保持するクリップにライトを取り付け、このライトで書物を照明するものが開示されている。
【０００３】
特許文献２には、照明用のライトを備えたブックカバーが開示されている。特許文献２では、書物の背表紙を覆うブックカバーの背部の内側にハウジングを設け、このハウジングに円筒状のフレキシブル支持体を介して前記ライトが取り付けられている。
【０００４】
【特許文献１】登録実用新案第３００１４０１号公報（段落番号０００６−０００７、図７）
【特許文献２】特公平７−２４３６号公報（第２頁、第１−３図）
【発明の開示】
【発明が解決しようとする課題】
【０００５】
特許文献２のブックカバーは、ハウジング内にライトの電源となる筒型電池を収容してあるため、筒型電池の存在分だけハウジングが大きくなってブックカバーが嵩張り、書物の携帯性を悪くしていた。
【０００６】
そこで本発明の目的は、嵩張らないようにして携帯に便利なライト付きブックカバーを提供することにある。
【課題を解決するための手段】
【０００７】
本発明は、図１および図２に示すごとく、書物１の背表紙７を覆う背部８と、この背部８の左右両側にそれぞれ連設されて前記書物１の表裏の表紙１１・１１を覆う左右一対の表装部９・９とを有する。前記背部８には、ライトの電源用として可撓性を有するフレキシブル支持体４の基端４ａが取り付けられ、フレキシブル支持体４の先端にライト３が取り付けられるライト付きブックカバーにおいて、左右の表装部９・９の少なくとも一方に、可撓性を有するシート状の電池５が内蔵されていることを特徴とする。ここでのフレキシブル支持体４は、ブックカバーの背部８に直接取り付ける場合と、ハウジング１５などを介して取り付ける場合とを含む。
【０００８】
詳しくは、図２に示すごとく表装部９・９が内外二層構造になっており、この二層間にシート状の電池５が挟み込まれている。電池５は二次電池であり、図１に示すごとく前記背部８の裏側に、電池用の制御回路１７を収容したハウジング１５が配置されており、ハウジング１５には、フレキシブル支持体４の基端４ａを取り付けるとともに、電池５の充電用端子１６を設けてある。ここでの制御回路１７には、電池５への充電電流を制御する充電制御回路や、電池５に流れる電流を制限して電池５を保護する保護回路などを含む。
【０００９】
電池５の電解質はゲル状ポリマー電解質で形成し、電池５の外装材は、柔軟性を有するラミネートフィルムで形成することができる。また前記ハウジング１５には、前記ライト３をオン、オフするためのスイッチ１９を設けることができる。
【発明の効果】
【００１０】
本発明によれば、読書の際にはライト３で書物１を的確に照明できる。表装部９にシート状の電池５を配してあるので、ブックカバーの全体が嵩張らない。従って、書物１にブックカバーを装着しても書物１の携帯性を低下させることがない。
【００１１】
しかも、電池５が柔軟性を有するので、ブックカバーの表装部９・９を撓ませながら書物１を開くことができる。
【００１２】
電池５を二次電池とし、ブックカバーの背部８の裏側にハウジング１５を配置し、ハウジング１５には、充電制御用などを行なう制御回路１７を収容するとともに、電池５の充電用端子１６を設けてあると、電池交換の手間が省略できるし、電池５への充電を適正かつ容易に行える。
【発明を実施するための最良の形態】
【００１３】
図１ないし図３は、本発明が対象とするライト付きブックカバーを示しており、図１に示すごとく、書物１の表紙を覆うカバー本体２と、先端にライト３を取り付けたフレキシブル支持体４と、ライト３の電源用の二次電池５とを含んでいる。カバー本体２は、横長の長方形のシート状になっており、紙、布あるいは皮革などで形成される。カバー本体２の大きさは、書物１の大きさに合わせて寸法設定されている。
【００１４】
カバー本体２は、図１および図２に示すごとく、書物１の背表紙７を覆う背部８と、前記背部８の左右両側にそれぞれ連設された左右一対の表装部９・９とを有する。左右の表装部９・９は、書物１の表裏の表紙１１・１１をそれぞれ覆う。各表装部９の自由端側の内側裏面には、カバー本体２を書物１の表紙１１・１１に装着するために左右一対の表紙装着部１２・１２がそれぞれ設けられている。
【００１５】
各表紙装着部１２は、カバー本体２と同一の素材で上下縦長の袋状に形成されている。書物１の表裏の表紙１１・１１を、左右の表紙装着部１２・１２の開放側からそれぞれ差し込むことにより、書物１にブックカバーを装着できる。
【００１６】
カバー本体２の背部８の内側裏面には、ハウジング１５が接着やステーキングなどによって固定されている。ハウジング１５は、ポリアミドやポリプロピレンなどの合成樹脂などからなり、上下縦長の中空の箱型に形成されている。ステーキングでは、ハウジング１５のカバー本体２に接する表側壁１５ａに複数の凸部を設け、この凸部をカバー本体２の背部８に設けた複数の穴にそれぞれ通し、前記穴から突出した凸部を超音波振動で溶融して押し潰すことで、ハウジング１５をカバー本体２の背部８に固定する。
【００１７】
ハウジング１５の裏面の下端側には、電池５への充電電流供給用の端子１６を設けてあり、上端側には、フレキシブル支持体４の基端４ａが節度を持って揺動自在に取り付けられている。
【００１８】
図２においてハウジング１５の表側壁１５ａは、断面円弧状に形成されており、カバー本体２が背部８で滑らかに湾曲するようにしてある。
【００１９】
ハウジング１５の内部には、電池５に対する制御を行なう制御回路１７が内蔵されている。制御回路１７には、前記端子１６が接続されているとともに、フレキシブルケーブル１８を介して各電池５がそれぞれ接続されている。ハウジング１５の下端面には、ライト３をオン、オフするためのスイッチ１９を設けてある。ハウジング１５の表側壁１５ａには、フレキシブルケーブル１８を通す挿通孔２０が形成されている。
【００２０】
スイッチ１９は、カバー本体２の下縁よりやや上方に位置していて、カバー本体２より飛び出さないようにしてある。制御回路１７は、電池５への充電電流を制御する充電制御回路や、電池５に流れる電流を制限して電池５を保護する保護回路などを含む。
【００２１】
カバー本体２の背部８および各表装部９は、図２に示すごとく内外二層構造になっており、各表装部９の内外層９ａ・９ｂ間に電池５がそれぞれ挟み込み保持されているとともに、背部８および表装部９・９の内外層間にフレキシブルケーブル１８がそれぞれ挟み込み保持されている。電池５の内外厚さは１mmで、縦方向の幅寸法は１５０mmで、左右横方向の幅寸法は１００mmの長方形のシート状に形成してある。
【００２２】
電池５としては、リチウムイオン電池などが使用されており、外装材をアルミニウムなどからなるラミネートフィルムで形成してあるとともに、外装材内に収容される電解質をゲル状ポリマー電解質で形成してある。外装材をラミネートフィルムで形成することで、外装材が薄くなるとともに電池５が柔軟性を有することになる。電解質にゲル状ポリマー電解質を使用したことで耐漏液性が向上し、電池５が撓んだ際に前記電解質が外部に漏れることが低減される。
【００２３】
ライト３は、白色ＬＥＤ（発光ダイオード）や豆電球などからなり、前側に集光用の凸レンズ２１を配置してある。フレキシブル支持体４は、金属や合成樹脂などで円筒状に形成されて折り曲げ自在であり、かつ折り曲げた状態を保持できる公知の構造である。フレキシブル支持体４の長さは２００mmとした。フレキシブル支持体４内には、ライト３と電池５とを接続するための電線が収容されている。
【００２４】
本発明のブックカバーは、書物１の表裏の表紙１１・１１にそれぞれ左右の表紙装着部１２・１２を差し込み装着して使用する。書物１を読む際には、図３に示すごとく、書物１と共にカバー本体２を開くことができる。ブックカバーの上方外側にフレキシブル支持体４を出したのち、該支持体４を適宜折り曲げて、ライト３を書物１より２００mmの上方に位置させる。この状態で、スイッチ１９をオン操作すると、ライト３が点灯し、ライト３で書物１を照らすことができる。
【００２５】
読書の終了後には、スイッチ１９をオフ操作してライト３を消灯したのち、フレキシブル支持体４を書物１の頁に挟むように折り畳む。この状態で、書物１と共にカバー本体２を閉じる。これにより、フレキシブル支持体４がしおりを兼ね、次の読書の際には、読み始める書物１の頁を容易に開くことができる。
【００２６】
ライト３の明るさは加減調節できるようにしてもよい。電池５は、左右の表装部９・９のいずれか一方のみに配置してもよい。電池５の大きさは任意に設定できる。ブックカバーを使い捨てタイプにするときは、電池５に一次電池を用いてもよい。この場合は、充電用端子１６を省略できるし、制御回路１７は保護回路のみでよいことになる。
【００２７】
フレキシブル支持体４の基端４ａは、揺動軸を介してハウジング１５に対し、折り畳み自在に取り付けたが、必ずしもこれに限定されない。フレキシブル支持体４は、柔軟性を有する中空の板状であってもよく、この場合は、ある程度厚くして、ライト３の重量で不用意に湾曲しないようにすればよい。
【図面の簡単な説明】
【００２８】
【図１】ブックカバーを開いた状態での平面図
【図２】ブックカバーを閉じた状態での縦断面図
【図３】ブックカバーの使用状態での斜視図
【符号の説明】
【００２９】
１  書物
３  ライト
４  フレキシブル支持体
４ａ  フレキシブル支持体の基端
５  二次電池
７  背表紙
８  背部
９  表装部
１１  書物の表裏の表紙
１２  表紙装着部
１５  ハウジング
１６  端子
１７  制御回路
１９  スイッチ
【図１】
2005053040.tif 000003
【図２】
2005053040.tif 000004
【図３】
2005053040.tif 000005